(57)【要約】【課題】  オペレーターのストレスおよび／または疲労を低減する電気外科器具を活性化するための制御アセンブリおよびシステムを有する電気外科器具を活性化するためのシステムを提供する。【解決手段】  電気外科制御システムであって：外科手順を実施するための電気外科アセンブリ；該電気外科アセンブリの操作を制御するために、該電気外科アセンブリに作動可能に接続された制御アセンブリ；および該制御アセンブリへのトリガー信号を生成するために、該制御アセンブリに作動可能に接続された活性化デバイスを備え、ここで、該制御アセンブリが、単一のトリガー信号を受ける際に、該制御アセンブリが、連続操作モードで該電気外科アセンブリを活性化する、電気外科制御システム。【選択図】図１
2010240465.tif 000002
【特許請求の範囲】
【請求項１】
図１に記載の電気外科制御システム。
【発明の詳細な説明】
【技術分野】
【０００１】
本出願は、「電気外科器具を活性化するためのシステム」と題する、２００３年５月１５日に米国特許商標庁に出願され、その内容が本明細書に参考として援用される、出願番号第６０／４７０，６３３号が与えられた出願に基づく優先権を主張する。
【０００２】
（発明の背景）
１．技術分野
本開示は、電気外科器具を活性化するためのスイッチングシステムに関する。より詳細には、本開示は、機械的または電気機械的スイッチを用いて電機外科器具を活性化するためのスイッチングシステムに関し、これは、電気外科器具に対し、オン／オフモードから連続活性化モードへの選択的制御を可能にする。
【背景技術】
【０００３】
２．関連する技術の背景
従来の電気外科システムでは、電気外科器具は、ハンドスイッチ、フットスイッチ、プッシュボタンなどのような活性化デバイスを含む作動機構、または制御アセンブリを使用する作業員により慣用的に活性化される。多くの電気外科器具は、電気外科器具の操作のために、オペレーターによる作動機構の連続的作動を必要としている。長い外科手順の間に、オペレーターは、疲労またはストレスを受けるようになり得、オペレーターは、不注意にも、この作動機構を中断させる。その結果、電気外科器具は、外科手順の一部分の間に操作を停止する。
【発明の概要】
【発明が解決しようとする課題】
【０００４】
従って、従来の電気外科システムの１つ以上の欠陥を克服する、電気外科器具を活性化するためのシステムに対する必要性が存在する。さらに、オペレーターのストレスおよび／または疲労を低減する電気外科器具を活性化するための改良された制御アセンブリおよびシステムを有する電気外科器具を活性化するためのシステムに対する必要性が存在している。
【課題を解決するための手段】
【０００５】
（要約）
電気外科制御システムが、本明細書で以下に開示される。この電気外科制御システムは、制御アセンブリに作動可能に接続される電気外科アセンブリを含む。活性化デバイスが、さらに含められ、そして上記制御アセンブリに作動可能に接続される。この電気外科アセンブリは、駆動回路に作動可能に接続された電気外科器具を含み、ここで、この駆動回路は、この電気外科器具を作動するための供給信号を提供する。この駆動回路は、電気外科器具内に含めるか、またはこの駆動回路を電気外科器具から遠隔に位置決めて提供することが可能である。この駆動回路および電気外科器具は、制御アセンブリ内の制御回路および安全回路に、フィードバック、器具モニタリング、および管理モニタリング情報を提供する。この制御アセンブリは、活性化操作、例えば、電気外科器具のオン／オフまたは連続、を制御するためのスイッチング回路をさらに含む。
【０００６】
この制御回路は、接続を通じて、電気外科アセンブリ、そして、特に電気外科アセンブリの駆動回路に、電力信号および制御信号を通信する。代表的には、この接続は、複数のワイヤを含むケーブルであるが、高周波または赤外通信配置であり得る。さらに、制御回路は、電気外科器具からの器具信号、および電気外科器具および駆動回路からのモニタリ
ング信号を受け、それによって、この制御回路が、電気外科アセンブリにおける状態をモニターし、そしてそれ故、電気外科アセンブリに提供される電力信号および制御信号を調節することを許容する。この制御回路は、種々の入力を受けるための電気機械的コンポーネント、電気的コンポーネント、および／または電子コンポーネントを備えることができ、入力されたデータを処理し、および／または電力および制御出力を提供する。
【０００７】
安全回路は、制御回路に安全信号または制御信号を提供する。器具信号、モニタリング信号、およびラッチ信号が安全回路中に入力され、ここで、それらは、安全回路が安全信号出力を提供する前に処理される。好ましくは、入力は、安全回路内の論理回路によって処理され、ここで、この論理回路は、電気機械的コンポーネント、電気的コンポーネント、および／または電子コンポーネントを含む。安全回路内に含まれて、オペレーターにより選択される作動パラメーターに関連する記憶されたデータがある。この記憶されたデータは、入力された信号と比較され、そして論理回路により処理される。選択された作動パラメーターが存在するとき、安全回路は、制御回路に安全信号を生成および提供し、それによって電気外科アセンブリの作動を可能にする。さらに、この安全回路は、電気外科制御システムの現在の状態について、オペレーターに音響指標および／または視覚指標を提供し得る。
【０００８】
スイッチング回路は、安全回路の個々の入力にラッチ信号を提供し、そして活性化デバイスからの入力トリガー信号に応答性である。操作中は、このスイッチング回路は、電気機械的コンポーネント、電気的コンポーネント、および／または電子コンポーネントを含み得る。プログラム可能なラッチ回路が、さらに、このスイッチング回路内に含まれる。このラッチ回路は、含まれる可変時間遅延を有する。活性化機構（例えば、ハンドスイッチ、フットスイッチ、またはボタン）の作動に際し、スイッチング回路は活性化され、そして安全回路に、例えば、オン／オフモードであるラッチ信号を提供する。例えば、所定時間遅延である所定時間間隔の間の活性化機構の活性化に際し、このラッチ回路は、たとえ、活性化デバイスが、もはや、トリガー信号を提供しなくても（例えば、活性化デハイスが活性化されないとき）、安全回路をラッチし、そして連続的ラッチ信号を提供する。このようにして、電気外科器具は、さらなる活性化なくして連続操作モードで作動する。
【０００９】
本開示の局面によれば、電気外科電源は、電気外科アセンブリの作動を制御するための制御アセンブリを含んで提供され、この電気外科アセンブリは、外科手順を実施し、ここで、この制御アセンブリが信号トリガー信号を受けるとき、制御アセンブリは、電気外科アセンブリを連続操作モードで活性化する。
【００１０】
さらなる実施形態によれば、電気外科器具を連続操作モードで制御するための方法が提供される。この方法は、活性化デバイスを所定の時間の間活性化する工程；該所定の時間の後にラッチ信号を生成する工程；該ラッチ信号受けるに際し、該電気外科器具を活性化するために制御信号を生成し、該外科器具を活性化する工程；および該活性化デバイスを不活性化する工程を包含し、ここで、該電気外科器具が該不活性化の後、連続操作モードで作動する。
【００１１】
従って、本発明は、以下の（１）〜（２３）を提供する。
【００１２】
（１）電気外科制御システムであって：外科手順を実施するための電気外科アセンブリ；該電気外科アセンブリの操作を制御するために、該電気外科アセンブリに作動可能に接続された制御アセンブリ；および該制御アセンブリへのトリガー信号を生成するために、該制御アセンブリに作動可能に接続された活性化デバイスを備え、ここで、該制御アセンブリが、単一のトリガー信号を受ける際に、該制御アセンブリが、連続操作モードで該電気外科アセンブリを活性化する、電気外科制御システム。
【００１３】
（２）前記電気外科アセンブリが、駆動回路に作動可能に接続された電気外科器具を備え、該駆動回路が、該電気外科器具を操作するための供給信号を提供する、前記（１）に記載の電気外科制御システム。
【００１４】
（３）前記制御アセンブリが、前記駆動回路に電力信号および制御信号を伝達するために該駆動回路に作動可能に接続されたコントローラー回路を備える、前記（２）に記載の電気外科制御システム。
【００１５】
（４）前記電力信号が、単極電気外科器具との使用のためのポジティブコンポーネントを保持し得る、前記（３）に記載の電気外科制御システム。
【００１６】
（５）前記電力信号が、双極電気外科器具との使用のためのポジティブおよび戻りコンポーネントを保持し得る、前記（３）に記載の電気外科制御システム。
【００１７】
（６）前記制御アセンブリが、所定の操作条件に合致したとき、前記電気外科アセンブリを制御するための前記制御回路に制御信号を伝達するために、該制御回路に作動可能に接続された安全回路をさらに備える、前記（３）に記載の電気外科制御システム。
【００１８】
（７）前記制御アセンブリが、前記活性化デバイスの活性化に際し、ラッチ信号を生成するための安全回路に接続されたスイッチング回路をさらに備える、前記（６）に記載の電気外科制御システム。
【００１９】
（８）前記活性化デバイスの所定の時間の間の活性化に際し、前記スイッチング回路が、前記電気外科アセンブリを連続操作モードで操作するために連続ラッチ信号を生成する、前記（７）に記載の電気外科制御システム。
【００２０】
（９）前記活性化デバイスの引き続く活性化に際し、前記スイッチング回路が、前記連続ラッチ信号を生成することを停止し、ここで、前記電気外科アセンブリが不活性化される、前記（８）に記載の電気外科制御システム。
【００２１】
（１０）前記制御アセンブリが、前記電気外科アセンブリにワイヤレスで接続される、前記（１）に記載の電気外科制御システム。
【００２２】
（１１）前記活性化デバイスが、前記制御アセンブリにワイヤレスで接続される、前記（１）に記載の電気外科制御システム。
【００２３】
（１２）電気外科電源であって：電気外科アセンブリの操作を制御するための制御アセンブリを備え、該電気外科アセンブリが外科手順を実施し、ここで、該制御アセンブリが単一のトリガー信号を受けるに際し、該制御アセンブリが、連続操作モードで該電気外科アセンブリを活性化する、電気外科電源。
【００２４】
（１３）前記トリガー信号を生成するための活性化デバイスをさらに備える、前記（１２）に記載の電気外科電源。
【００２５】
（１４）前記活性化デバイスが、前記電源の外部に配置される、前記（１３）に記載の電気外科電源。
【００２６】
（１５）前記活性化デバイスが、前記制御アセンブリにワイヤレスで通信する、前記（１４）に記載の電気外科電源。
【００２７】
（１６）前記電気外科アセンブリが、駆動回路に作動可能に接続された電気外科器具を備え、該駆動回路が、該電気外科器具を操作するための供給信号を提供する、前記（１３）に記載の電気外科電源。
【００２８】
（１７）前記制御アセンブリが、前記駆動回路に電力信号および制御信号を伝達するために、該駆動回路に作動可能に接続された制御回路を備える、前記（１６）に記載の電気外科電源。
【００２９】
（１８）前記制御アセンブリが、所定の操作条件に合致したとき、前記電気外科アセンブリを制御するための前記制御回路に制御信号を伝達するために、該制御回路に作動可能に接続された安全回路をさらに備える、前記（１７）に記載の電気外科電源。
【００３０】
（１９）前記制御アセンブリが、前記活性化デバイスの活性化に際し、ラッチ信号を生成するための安全回路に接続されたスイッチング回路をさらに備える、前記（１８）に記載の電気外科電源。
【００３１】
（２０）前記活性化デバイスの所定の時間の間の活性化に際し、前記スイッチング回路が、前記電気外科アセンブリを連続操作モードで操作するために連続ラッチ信号を生成する、前記（１９）に記載の電気外科電源。
【００３２】
（２１）前記活性化デバイスの引き続く活性化に際し、前記スイッチング回路が、前記連続ラッチ信号を生成することを停止し、ここで、前記電気外科アセンブリが不活性化される、前記（２０）に記載の電気外科電源。
【００３３】
（２２）電気外科器具を連続操作モードで制御する方法であって：活性化デバイスを所定の時間の間活性化する工程；該所定の時間の後にラッチ信号を生成する工程；該ラッチ信号受けるに際し、該電気外科器具を活性化するために制御信号を生成する工程；および該活性化デバイスを不活性化する工程を包含し、ここで、該電気外科器具が該不活性化の後、連続操作モードで作動する方法。
【００３４】
（２３）前記活性化デバイスを再活性化する工程；次のラッチ信号を生成する工程；および前記電気外科器具の操作を停止するために前記制御信号の生成を停止する工程をさらに包含する、前記（２２）に記載の方法。
【００３５】
電気外科器具を活性化するための現在開示されるシステムの好ましい実施形態は、図面を参照して本明細書で説明される。
【発明の効果】
【００３６】
本発明は、機械的または電気機械的スイッチを用いて電機外科器具を活性化するためのスイッチングシステムを提供し、これは、電気外科器具に対し、オン／オフモードから連続活性化モードへの選択的制御を可能にし、オペレーターのストレスおよび／または疲労を低減する電気外科器具を活性化するための制御アセンブリおよびシステムを有する電気外科器具を活性化するためのシステムを提供する。
【図面の簡単な説明】
【００３７】
【図１】図１は、本開示の実施形態に従う、電気外科器具を活性化するためのシステムのブロックダイアグラムである。
【発明を実施するための形態】
【００３８】
（好ましい実施形態の詳細な説明）
電気外科器具を活性化するための現在開示されるシステムの好ましい実施形態は、図面を参照して詳細に説明され、そこでは、同様の参照番号および文字は、添付の図面において同じ部材か、または対応する部材を示す。
【００３９】
本開示の実施形態によれば、電気外科制御システム１００が図１中に示される。電気外科制御システム１００は、電気外科アセンブリ１１０、制御アセンブリ１９０、および活性化デバイス１８５を含む。電気外科アセンブリ１１０は、電気的接続または電気機械的接続１３５によって作動機構または制御アセンブリ１９０に作動可能に接続される電気外科器具１２０および関連する駆動回路１３０を含む。代表的には、接続１３５は、ワイヤのような複数の接続部材を含むケーブルであり、その結果、接続１３５は、電気外科アセンブリ１１０と制御アセンブリ１９０との間で多くの異なる信号を通信し得る。あるいは、接続１３５は、高周波または赤外線通信を採用する、電気外科アンセブリ１１０と制御アセンブリ１９０との間のワイヤレス接続であり得る。
【００４０】
例示の実施形態では、電気外科アセンブリ１１０は、外科手順を実施するための電気外科器具１２０および駆動回路１３０を含む。電気外科器具１２０は、駆動回路１３０に作動可能に接続され、ここで、駆動回路１３０は、電気外科器具１２０を作動するための供給信号１１５を通信する。電気外科器具１２０の例は、制限されないで、電気外科吸引凝固器、電気外科ペンシル、電気外科鉗子、電気外科ベッセルシール器具、外科煙除去器具、および電気外科腹腔鏡ハンドセットを含む。次に、駆動回路１３０は、接続１３５により制御アセンブリ１９０に作動可能に接続される。
【００４１】
好ましくは、制御アセンブリ１９０は、制御回路１５５、安全回路１６５、およびスイッチング回路１７５を含む。制御アセンブリ１９０は、活性化デバイス１８５と電気外科アセンブリ１１０との間をインターフェースする。詳細には、制御回路１５５は、電力信号１２５および制御信号１４０を駆動回路１３０に伝達するために接続１３５によって駆動回路１３０に作動可能に接続される。制御回路１５５の内部には、電力信号１２５を生成する電力形成回路がある。有利には、電力信号１２５は、単極電気外科器具との使用のためのポジティブコポーネントを保持し得、そしてさらに、双極電気外科器具との使用のための電力のポジティブコンポーネントおよび戻りコンポーネントを含み得る。駆動回路１３０の作動は、制御信号１４０によって制御回路１５５により調節される。駆動回路１３０の開始、停止，および調節、ならびに得られる供給信号１１５は、制御信号１４０を経由して制御回路１５５により制御可能である。
【００４２】
電気外科制御システム１００にさらに含まれて、器具信号１４５およびモニタリング信号１５０がある。器具信号１４５は、電気外科器具１２０中で生成され、そして電気外科器具１２０中および／またはその周りの選択されたパラメーターを提示するデータ（すなわち、管理モニタリング情報）を伝達するために制御回路１５５および安全回路１６５に通信される。電気外科器具１２０から伝達されるデータは：内部および外部温度情報；電圧情報；電流情報；圧力および／または真空情報；および流体流れ情報を含み得る。
【００４３】
制御回路１５５は、器具信号１４５に関して受けたデータに応答して、制御信号１４０および電力信号１２５を変更するためにプログラム可能である。電気外科器具１２０中および／またはその周りに選択されたパラメーターの代表情報をリアルタイムに通信することにより、制御回路１５５は、電気外科器具１２０の操作条件における変化に対するリアルタイム応答として、外科アセンブリ１１０の作動パラメーターを調節し得る。例として、電気外科器具１２０近傍の身体組織の温度が上昇し、そして選択された値に到達した場合、この温度データは、器具信号１４５中に伝達され、そして制御回路１５５にリアルタイムにリレーされる。応答では、制御回路１５５は、音響警告および／または視覚警告を用いて、オペレーターに変化する状態を警告するためにプログラム可能である。好ましくは、制御回路１５５または安全回路１６５は、さらに、変化する温度状態に応答して電力信号１２５を自動的に低減し得、それによって、電気外科器具１２０により生成される熱を低減し、そして装置のさらなる節度および人の安全を提供する。好ましい実施形態では
、制御回路１５５は、電気外科器具１２０中および／またはその周りの選択されたパラメーターが、所望の範囲内でないことを、音響および／または視覚警告を用いて操作する人に警告し得る。安全回路１６５は、所望の範囲の外側にある電気外科器具１２０の選択されたパラメーターに対する自動応答を生成するためにプログラム可能である。
【００４４】
駆動回路１３０の作動パラメーターに関する情報は、制御回路１５５と安全回路１６５に通信されるモニタリング信号１５０中に提供される。作動パラメーターは、駆動回路１３０中の温度値、電圧値、電流値、圧力値および／または真空値、および流体流れ値に対応するデータを含み得る。選択されたパラメーター（すなわち、管理モニタリング情報）は、制御回路１５５および安全回路１６５によりモニターされる。駆動回路１３０中の作動パラメーターをモニターすること、およびそれらを、電気外科器具１２０のモニターされた作動パラメーターと比較することにより、増加したシステム信頼性が達成可能である。同じ信号または関連する信号の余分のモニタリングは、電気外科制御システム１００を、電気外科アセンブリ１１０中の潜在的な問題を示す電気外科器具１２０におけるパラメーターと駆動回路１３０におけるパラメーターとの間の矛盾に応答させるようにする。
【００４５】
例示のみの目的で、電気外科器具１２０を通る電流における対応する増加なくして、駆動回路１３０を通る測定された電流における増加は、電気外科アンセンブリ１１０に問題が存在することを示す。このような矛盾に応答して、電気外科制御システム１００は、操作する人に音響警告および／または視覚警告を生成し得る。この矛盾が潜在的に危険な状態が存在することを示すその他の状況では、電気外科制御システム１００は、人および装置を保護するために電気外科アセンブリ１１０を自動的に電力減少および／またはシャットオフするためにプログラム可能である。
【００４６】
制御信号１６０は安全回路１６５によって生成され、そして制御回路１５５の入力に作動可能に接続される。本明細書の上記で論議された作動の自動化モードでは、安全回路１６５は、制御信号１６０を改変し、モニターされたパラメーターによって示されるような、変化する作動状態に応答して適正な応答を履行する。さらに、安全回路１６５は、特定の基準が満足された後、電気外科制御システム１００の作動を開始するための制御信号１６０を生成する。本開示の好ましい実施形態では、安全回路１６５は、上記操作および本明細書で以下に開示される操作を達成するためにプログラム可能である。制御回路１５５との協働において、スイッチング回路１７５、および活性化デバイス１８５、安全回路１６５は、電気外科アセンブリ１１０を作動するために、制御回路１５５に安全制御信号１６０を伝達する。
【００４７】
好ましくは、安全回路１６５は、上記に列挙した機能を達成するためにプログラム可能である論理回路を含む。プログラム可能な論理回路を用いることにより、安全回路１６５を、多くの異なる電気外科器具１２０および／または手順に適合させることが可能である。この論理回路は、好ましくは、スイッチング回路１７５、電気外科器具１２０、駆動回路１３０、および／または安全回路１６５内の記憶データからの入力を受容する付属回路とともに、１つ以上の集積回路を含み得る。しかし、所望の機能を提供するために電気機械的コンポーネント、電気的コンポーネント、および／または電子コンポーネントを採用することが可能である。例えば、この論理回路は、この論理回路への適切な入力に存在するラッチ信号１７０がないとき、制御信号１６０の生成を阻害する。この論理回路はまた、活性化デバイス１８５が、電気外科器具１２０を開始または停止するために用いられるとき、所定時間の間、ラッチ信号１７０を無視するようにプログラム可能であり得る。安全回路１６５内の論理回路のためにその他の組み合せおよび使用が、上記で与えられた例に加えて想定される。
【００４８】
さらに、この論理回路は、スイッチング回路１７５、電気外科器具１２０、駆動回路１
３０、および安全回路１６５内に記憶されたデータからの入力を受容し、そしてこれら入力を処理して、任意の安全でない、および／または所望されない作動状態が存在するか否かを決定する。駆動回路１３０の過熱のような、安全でない、および／または所望されない作動状態は、この論理回路により処理され、それによって制御信号１６０の生成を阻害する。この論理回路はまた、電気外科器具１２０、制御回路１５５、スイッチング回路１７５、および／または駆動回路１３０から管理モニタリング入力を受容し、ここで、これらの管理モニタリング入力は、種々の回路のリアルタイム状況を反映する。問題が、管理モニタリング入力の１つに通信される場合、安全回路１６５は、電気外科器具１２０の作動を防げ、および／または操作する人に安全でない状態が存在することを警告するようにプログラム可能である。操作する人への警告は、安全でない状態に関する音響指示および／または視覚支持を含み得る。安全回路１６５はまた、スイッチング回路１７５が安全回路１６５に、スイッチング回路１７５内のラッチ回路が「連続」作動モードにあることを示す連続的なラッチ信号１７０を通信するとき、オペレーターに、音響指示および／または視覚指示を提供するようにプログラムされ得る。このような情報は、音響指示または視覚指示を経由してオペレーターに通信され、これは、オペレーターが活性化デバイス１８５を手放させることを可能にし、それによって、電気外科装置１２０が連続して作動する間、オペレーターのストレスおよび／または疲労を低減する。
【００４９】
電気外科器具１２０を含む電気外科アセンブリ１１０の作動は、活性化デバイス１８５を作動する操作要員によって開始される。活性化デバイス１８５の例は、ハンドスイッチ、フットスイッチ、およびプッシュボタンを含むが、これらに限定されるわけではない。一旦、操作要員によって作動されると、活性化デバイス１８５は、スイッチング回路１７５に通信されるトリガー信号１８０を生成する。入力されたトリガー信号１８０に応答して、スイッチング回路１７５は、電気外科器具１２０を活性化する要求を示す、安全回路１６５へのラッチ信号１７０を生成および通信する。スイッチング回路１７５は、多くの異なる作動形態のためにプログラム可能である。
【００５０】
認識され得るように、ユーザーは、手術の間に、活性化デバイス１８５（例えば、スイッチ）を連続的に押し下げおよび開放することにより、「オン／オフ」モードで電荷外科器具１２０を選択的に利用し得る。あるいは、ユーザーは、所望であれば、１）活性化デバイス１８５が押し下げられるとき連続「オン」モード、および再度押されるとき「オフ」モードに手動でスイッチすること；または２）電気外科器具１２０が、定められた条件または時間が満足された後に「連続」モードに自動的にスイッチすることを可能にし、それ故、ユーザーが活性化デバイス１８５を手放させ、そして作動疲労を低減させることのいずれかにより、連続的に作動の活性化モードを開始し得る。上記のように、音調信号または視覚信号が、作動モードにおける変化（すなわち、オン／オフから連続への）をユーザーに警告するために採用され得る。連続的モードが、１）手術の開始に、連続モードを解除すること（すなわち、可能な作動条件として連続モードを選択しない）；または２）連続モードの手術の間に、活性化デバイス１８５（例えば、スイッチ）を押し下げることにより連続モードを手動で不活性化することのいずれかにより、任意の時間に解除され得ることが想定される。
【００５１】
電気外科制御システム１００が、連続作動モードで用いられているとき、活性化デバイス１８５は、始めに、スイッチング回路１７５の入力に通信されるトリガー信号１８０を生成する。応答では、スイッチング回路１７５は、作動の連続モードを開始するために安全回路１６５に通信されるラッチ信号１７０を生成する。安全回路１６５の内側に、論理回路が、作動の連続モードを開始するための指示としてラッチ信号１７０を受容するような状態にあり、それによって、ラッチ信号１７０が安全回路１６５の入力に印加されるとき、この論理回路は、ラッチ信号１７０を処理し、そして制御信号１６０を生成する。次に、制御信号１６０が制御回路１５５に通信されて電力信号１２５を生成し、そして電気
外科器具１２０をオンにする。さらに、安全回路１６５は、オペレーターに電気外科器具１２０がオンになったことの音響指示および／または指示を提供し得る。電気外科器具１２０が、作動の連続モードで作動していた後で、オペレーターは、活性化デバイス１８５を手放し得、それによってトリガー信号１８０およびラッチ信号１７０を中断する。一旦、ラッチ信号１７０がもはや安全回路１６５の入力に印加されなくなると、論理回路は、本明細書で上記に論議されるように、作動の連続モードを中断する指示として、次のラッチ信号１７０を受容するように準備される。結果として、活性化デバイス１８５は、不活性化され得、それによって、電気外科器具１２０が連続して作動する間、トリガー信号１８０の生成を止める。
【００５２】
電気外科制御システム１００が連続操作モードにあるとき、活性化デバイス１８５の次の活性化は、次に、ラッチ信号１７０を生成するために、スイッチング回路１７５の入力に接続される別のトリガー信号１８０を生成する。次いで、ラッチ信号１７０は、安全回路１６５に通信される。好ましくは、ラッチ信号１７０は、安全回路１６５の論理回路に入力される。この論理回路は、その他の選択されたパラメーターとともに入力されたラッチ信号１７０を処理する。この状況では、この論理回路は、電気外科器具１２０をシャットダウンするための指示として入力されたラッチ信号１７０を受容し、かつ処理する。この論理回路は、制御信号１６０の生成を阻害する。さらに、この論理回路は、今や、作動の連続モードを再開するための指示として別の入力されたラッチ信号１７０に応答する用意がある。入力制御信号１６０がないと、制御回路１５５は、電力信号１２５の生成を終了し、それによって電気外科器具１２０をオフにする。なおさらに、安全回路１６５は、オペレーターに電気外科器具１２０がオフになったことの音響指示および／または視覚指示を提供し得る。
【００５３】
電気外科器具１２０の作動の連続モードが終わった後、オペレーターは、活性化デバイス１８５を作動し、そしてトリガー信号１８０を発生することにより、操作の連続モードを再開し得る。トリガー信号１８０は、入力されたトリガー信号１８０に応答してラッチ信号１７０を生成するため、スイッチング回路１７５に通信される。安全回路１６５の内側で、論理回路が、作動の連続モードを再開するための指示としてラッチ信号１７０を受容するよう準備され、それによって、ラッチ信号１７０が安全回路１６５の入力に印加されるとき、この論理回路は、ラッチ信号１７０を処理し、そして制御信号１６０を生成する。次に、制御信号１６０が制御回路１５５に通信されて電力信号１２５を生成し、そして電気外科器具１２０をオンにする。さらに、安全回路１６５は、オペレーターに、電気外科器具１２０がオンになったことの音響指示および／または視覚指示を提供し得る。
【００５４】
電気外科器具１２０が作動の連続モードで操作していた後、オペレーターは、活性化デバイス１８５を手放し得、それによって、トリガー信号１８０およびラッチ信号１７０を中断する。一旦ラッチ信号１７０がもはや安全回路１６５の入力に印加しなくなると、この論理回路は、本明細書で上記で論議されたように、作動の連続モードを中断する指示として次のラッチ信号１７０を受容する準備にある。
【００５５】
１つの実施形態では、ラッチ回路１７５は、活性化デバイス１８５の作動に際し、所定の時間の間ラッチ信号１７０を生成する。選択された時間の後、それは、実施されている特定の手順のために選択的にプログラム可能であり得、スイッチング回路１７５内のラッチ回路は、ラッチ信号１７０を連続的に生成するためにラッチインし、これは、電気外科器具１２０の連続的作動を許容する。トリガー信号１８０が中断されるとき、例えば、活性化デバイス１８５のさらなる活性化がないときは、電気外科器具１２０は、シール回路が活性化されたことを示すラッチ信号１７０が安全回路１６５に通信されているという条件で作動を継続する。
【００５６】
さらに、電気外科制御システム１００は、活性化デバイス１８５が、スイッチング回路１７５内のラッチ回路が特定された時間の間トリガー信号１８０をロックアウトするようプログラミングすることによって一時的に切断されるように構成可能である。これは、特に、活性化デバイス１８５が、電気外科器具１２０の作動を開始および停止するために用いられる場合に有用である。安全回路１６５中に見出されるのと類似のロックアウト特徴を提供するためにスイッチング回路１７５を用いることにより、予めプログラムされた時間の間、活性化デバイス１８５をロックアウトするために余分の層を提供することが可能である。このラッチ回路は、スイッチング回路１７５のラッチおよび／またはタイミング特徴を構成し、および提供するために適合された、電気機械的コンポーネント、電気的コンポーネントおよび／または電子コンポーネントを含み得る。好ましくは、関連する回路とともに、スイッチング回路１７５の所望のラッチおよび／またはタイミング特徴を提供する１つ以上の集積回路を採用し得る。
【００５７】
電気外科制御システム１００の代替の実施形態では、制御アセンブリ１９０は、スイッチング回路１７５、安全回路１６５、および制御回路１５５、およびそれらの関連する機能を置換する単一の制御回路に組み合せられ得る。好ましくは、この置換制御回路は、多くの異なる作動条件についてプログラム可能である、関連回路を備える集積回路であり得る。さらに、この実施形態による制御アセンブリ１９０は、電気外科器具１２０を制御するための電気外科電源中に含められ得ることが想定される。活性化デバイス１８５は、用いられている電気外科器具１２０のタイプ（例えば、外科煙除去機器）に依存して、電気外科電源上に配置され得るか、または緊密に近接し得る。あるいは、活性化デバイス１８５は、電気外科器具１２０（例えば、電気外科ペンシル）上またはそれに近接して配置され得る。さらに、活性化デバイス１８５は、高周波または赤外線通信を経由して制御アセンブリ１９０にワイヤレスで接続され得る。
【００５８】
本開示の例示の実施形態を、添付の図面を参照して説明してきたが、本開示は、これらの正確な実施形態に限定されず、しかも、当業者によって、種々のその他の変更および改変が、本開示の範囲および思想から逸脱することなくその中でなされ得ることが理解されるべきである。すべてのこのような変更および改変は、本開示の範囲内に含まれることが意図される。
【００５９】
（要約）
電気外科器具を活性化するためにシステムが開示される。このシステムは、電気外科アセンブリ、制御アセンブリ、および活性化デバイスを含む。この電気外科アセンブリは、電気外科器具およびこの電気外科器具に作動可能に接続された駆動回路を含む。制御回路、安全回路、およびラッチ回路がこの制御アセンブリ内に含まれ、そして電気外科アセンブリおよび活性化デバイスとの間をインターフェースする。器具データおよび管理モニタリングデータが、電気外科アセンブリ内で生じ、そしてそれらは、制御回路および安全回路に通信される。制御回路、安全回路、およびラッチ回路間の電気的協働は、ユーザーが、この活性化スイッチの作動に際し、「オン／オフ」モードまたは「連続」モードでこの器具を選択的に用いることを可能にする。
【産業上の利用可能性】
【００６０】
オペレーターのストレスおよび／または疲労を低減する電気外科器具を活性化するための制御アセンブリおよびシステムを有する電気外科器具を活性化するためのシステムが提供される。
【符号の説明】
【００６１】
１００ 電気外科制御システム
１１０ 電気外科アセンブリ
１１５ 供給信号
１２０ 電気外科器具
１２５ 電力信号
１３０ 駆動回路
１３５ 電気機械的接続
１４０ 制御信号
１４５ 器具信号
１５０ モニタリング信号
１５５ 制御回路
１６０ 制御信号
１６５ 安全回路
１７０ ラッチ信号
１７５ スイッチング回路
１８０ トリガー信号
１８５ 活性化デバイス
１９０ 制御アセンブリ
【図１】
2010240465.tif 000003